(57)【特許請求の範囲】
【請求項１】
台形状のくさび部材の両側に円形状の紐の案内部材を設け、それぞれを弾性体から成る連結棒で繋げた紐の締めつけ具において、くさび部材と紐の案内部材の間に形成される隙間に紐を通す様にする紐の締めつけ具。
【請求項２】
長方形の板状の物の中央部に、Uの字の開口部同士を向かい合わせにした形の一対の切り抜きを設け、その切り抜きに囲まれた内側をくさび部材とし、外側の長方形の長辺部分の一対を連結棒とし、短辺部分の一対を紐の案内部材とすると共に、一対の連結棒の部分は板の厚みを薄くして板バネのように曲がるようにした、一体形の紐の締めつけ具。
【請求項３】
くさび部材を湾曲させた、請求項２記載の紐の締めつけ具。
【発明の詳細な説明】
【０００１】
【産業上の利用分野】
本発明は、パジャマやトレーニングウエアや水泳パンツ等の腰に当たる部分を紐で締めつける場合や、リユックサックの口の開閉に紐を使用した物や、ヨットにおけるシートの調節等、紐を締めたり緩めたりする装置に関する。
【０００２】
【従来の技術】
一般的に紐は「結ぶ」と言われる方法で、締めたり繋いだりされている。
【０００３】
【発明が解決しようとする課題】
紐を結ぶ場合に、解き安くするためにチョウチョ結びにしたり、きつく結ぶ場合には紐をそれなりに引っ張りながら結ばなければならず、手先の器用さが必要であった。
【０００４】
本発明を使用して紐で物を縛る場合には、紐の両端を引っ張るだけで良く（緩む心配は無い）又、紐を緩める場合も本発明の中心部（くさび部材）に軽く一方向に力を加えるだけで良い装置を提供することを目的としている。
【０００５】
【課題を解決するための手段】
上記目的を達成するために、本発明は、一対の紐の案内部材の間に、くさび部材を置き、連結棒により繋いだ構造になっており、紐をくさび部材と紐の案内部材の間に通し、紐が一方向にしか動かない様にした装置である。
【０００６】
上記くさび部材と紐の案内部材の位置関係は、紐を紐の案内部材とくさび部材の間に通した状態で、連結棒がへの字に曲がるようにしておく、この曲がる角度がきつければ紐は締りやすくなるが、戻し難くもなる、紐が引っ張られて締まった状態でほぼ一直線になる位が効果的である。
【０００７】
また、紐の案内部材（特に紐と強く接触する部分）の形状は丸く表面もなめらかにして紐を滑り易くしておくと効果的である。
【０００８】
次に、くさび部材の形状は、丸でも四角でもどんな形でも可能であるが、紐の案内部材（図１の紐の案内部材４１、４２、では上半分）のどの部分と紐を挟むかが重要であり、それによって紐への圧力が変化するからである、又紐を緩める場合の緩め易さにも関係してくる、図１の紐の案内部材４１、４２と連結棒５１、５２との交点付近が効果的であると考えられる。
【０００９】
そして、連結棒は強度さえあれば、どんな素材でも使用可能だがバネ等の弾性体（ゴムのように伸びる物は不向き）を用いるのが効果的である。
【００１０】
また、図１に示す連結部２０、２１、２２は、連結棒５１、５２に柔軟材（紐、ワイヤー、バネ等）を使用した場合は固着すれば良く、連結棒５１、５２に硬質材（鉄、アルミ等）を使用した場合は、回転可能な状態に支持する必要がある。
【００１１】
さらに、くさび部材の紐との接触面はゴム等の摩擦抵抗の大きい物を使用し、又表面を凸凹にしたり、ざらざら（紐が傷まない程度）にして、紐を滑り難くしておくと効果的である。
【００１２】
前記したことから、連結棒がへの字に曲がる角度と、紐の案内部材のどの部分で紐を挟むか、くさび部材の紐との接触面の摩擦抵抗の大きさ、この三点を巧く調節することによって紐を締め易く、又緩め易い装置にすることができる。
【００１３】
本発明の構成を図１を参照して詳しく説明すると、図１は正面図で、裏側から見ても同じ図面になり、くさび部材３と紐の案内部材４１、４２の厚みは、紐１と同じ位で表示した形がそのまま裏側まで続いている、連結棒５１、５２は表示の２本と裏側の２本とで合計４本あることになる、紐の案内部材４１、４２は２個、くさび部材３は１個、連結部２０、２１、２２は表示の３ヶ所と裏側の３ヶ所で合計６ヶ所で、それぞれ回転可能な状態で支持されている、くさび部材３の紐との接触部分は適度な角度でテーパーになっている。
【００１４】
【作用】
前記のように構成された図１において、紐１を矢印Ｃ、Ｄ方向に引くと、くさび部材３は紐１との摩擦力で矢印Ｅ方向に動かされて、紐１とくさび部材３との摩擦力は大きくならない、しかし反対に紐１を矢印Ａ、Ｂ方向に引くと、くさび部材３は紐１との摩擦力で矢印Ｆ方向に動かされ、紐１は、くさび部材３によって紐の案内部材４１、４２に強く押し付けられて、矢印Ａ、Ｂ方向に引けば引く程くさび部材３との摩擦力が大きくなり、紐１は矢印Ａ、Ｂ方向には動かない、紐１は矢印Ｃ、Ｄ方向にしか動かない、しかし、くさび部材３に矢印Ｅ方向の力を加えると、紐１を矢印Ａ、Ｂ方向に動かすことができる。
【００１５】
上記のような作用から、くさび部材の紐との接触面は摩擦力が大きくなるように作り、紐の案内部材の紐との接触面は摩擦力が小さくなるように作ると、効果的である。
【００１６】
【実施例】
実施例について図面を参照して説明すると、図１において、くさび部材３は逆台形（逆三角形でも可能）をしており、紐の案内部材４１、４２と連結棒５１、５２によって繋がれている、連結部２０、２１、２２は回転可能な状態で支持されている、紐１をくさび部材３と紐の案内部材４１、４２との間に通す。
【００１７】
図２に示される実施例では、くさび部材１３と紐の案内部材４３、４４と連結棒５３、５４を、プラスチック等で一体物として制作した場合である、図３は紐１を外した状態を示している、素材には弾性力が必要である。
【００１８】
図４に示される実施例では、くさび部材２３に連結部２５、２６、２７、２８の穴を４ヶ所設け、そこに丸棒を図面のような形状に曲げた物を連結部２５、２６、２７、２８をはめ込む（連結棒部分５５、５６、５７、５８にはある程度の弾性力が必要である）、連結棒部分５５、５６、５７、５８の両端（連結部２５、２６、２７、２８にはまる部分）の中心のずれの大きさによって弾性力を調節できる（ずれを無くせば連結部２５、２６、２７、２８の穴は貫通した穴２ヶ所ですむ）中心のずれを０にすれば弾性力は無くなる、図５は、紐１を外した状態を示す。
【００１９】
図６に示される実施例では、くさび部材３３を図示のように曲げた形にすることによって、紐を締めた場合に、くさび部材３３の紐への食い込み力が増して、紐がくさび部材３３と滑って緩んでしまわないようにする効果がある、しかし、あまり曲げすぎると紐を緩め難くもなる。
【００２０】
【発明の効果】
本発明は、以上説明したように構成されているので、以下に記載されるような効果がある。
【００２１】
紐を締めたり緩めたりするのが、簡単に速くできる。
【００２２】
ヨットのシート（ロープ）の調節が、簡単に速くできる。
【００２３】
紐がある程度以上の力で引っ張られると、紐が緩むようにする事もできる
【００２４】
構成が単純なため、簡単に製造することができる。
【図面の簡単な説明】
【図１】  紐の締めつけ具の原理を示す正面図である。
【図２】  紐の締めつけ具の実施例を示す、（ａ）が上から見た平面図（ｂ）が正面図である。
【図３】  図２から紐を取り除いた状態を示す、（ａ）が上から見た平面図（ｂ）が正面図である。
【図４】  紐の締めつけ具の実施例を示す、（ａ）が上から見た平面図（ｂ）が正面図である。
【図５】  図４から紐を取り除いた状態を示す、（ａ）が上から見た平面図（ｂ）が正面図である。
【図６】  紐の締めつけ具の変形例を示す、（ａ）が上から見た平面図（ｂ）が正面図である。
【符号の説明】
１  紐
２０〜２９  連結部
３、１３、２３、３３、  くさび部材
４１〜４８  紐の案内部材
５０〜５９  連結棒
【図１】
0003694769.tif 000002
【図２】
0003694769.tif 000003
【図３】
0003694769.tif 000004
【図４】
0003694769.tif 000005
【図５】
0003694769.tif 000006
【図６】
0003694769.tif 000007